(57)【特許請求の範囲】
【請求項１】
荷重を支えるための支持基材層と、
前記支持基材層の上に積層され、弾性変形可能なクッション層と、
前記クッション層の上に積層され、耐久性を有するとともに、強度を確保するための厚肉部と、可撓性を付与するための薄肉部とを有する表面層と、を備えた浴室用洗い場床であって、
前記厚肉部は、前記表面層上に荷重が加わった際に、荷重が加わった部分が局所的に変形しない程度の厚みを有していることを特徴とする浴室用洗い場床。
【請求項２】
荷重を支えるための支持基材層と、
前記支持基材層の上に積層され、弾性変形可能なクッション層と、
前記クッション層の上に積層され、耐久性を有するとともに、強度を確保するための厚肉部と、可撓性を付与するための薄肉部とを有する表面層と、を備えた浴室用洗い場床であって、
環境温度２０℃の条件で、前記厚肉部及び前記薄肉部を有する前記表面層に対して２０Ｎ／ｃｍ２の荷重を加えた際の鉛直下方への最大変位点の変位量をａ、
前記表面層と同一材料であって前記薄肉部を有さずに前記厚肉部と同じ厚みの表面層に対して同じ２０Ｎ／ｃｍ２の荷重を加えた際の鉛直下方への最大変位点の変位量をｂとすると、
ａ／ｂは、１．１以上であることを特徴とする浴室用洗い場床。
【請求項３】
荷重を支えるための支持基材層と、
前記支持基材層の上に積層され、弾性変形可能なクッション層と、
前記クッション層の上に積層され、耐久性を有するとともに、強度を確保するための厚肉部と、可撓性を付与するための薄肉部とを有する表面層と、を備えた浴室用洗い場床であって、
前記表面層上に荷重が加わると、その荷重が加わった部分は前記薄肉部を鉛直下方への最大変位点として撓み、前記最大変位点の周辺の前記厚肉部は前記最大変位点に向かって下向き傾斜することを特徴とする浴室用洗い場床。
【請求項４】
荷重を支えるための支持基材層と、
前記支持基材層の上に積層され、弾性変形可能なクッション層と、
前記クッション層の上に積層され、耐久性を有するとともに、強度を確保するための厚肉部と、可撓性を付与するための薄肉部とを有する表面層と、を備えた浴室用洗い場床であって、
前記表面層は、ＦＲＰ材料から形成されていることを特徴とする浴室用洗い場床。
【請求項５】
前記薄肉部の幅は、前記厚肉部の幅よりも小さいことを特徴とする請求項１〜４のいずれか１つに記載の浴室用洗い場床。
【請求項６】
前記薄肉部は、前記表面層の全体に渡って格子状に形成されていることを特徴とする請求項１〜４のいずれか１つに記載の浴室用洗い場床。
【発明の詳細な説明】
【技術分野】
【０００１】
本発明は、浴室用洗い場床に関する。
【背景技術】
【０００２】
従来より、浴室の洗い場床にクッション性を付与する構造が提案されている。例えば、特許文献１には、ＦＲＰ等の樹脂材料からなる基材に対して、発泡層と、熱可塑性エラストマーからなる軟質材とを順に積層し一体化した浴室洗い場床が開示されている。
【特許文献１】特開２００１−２４５８１４号公報
【発明の開示】
【発明が解決しようとする課題】
【０００３】
洗い場床に単純にやわらかさを付与するためには、表面の材料を十分弾性のある柔らかい組成のもので構成させるのが簡単ではあるが、あまり柔らかなものを用いると、摩耗、傷や穴があく等の損傷、へたりなど、床表面として求められる耐久性が不足することが懸念される。
【０００４】
すなわち、やわらかさを付与しつつ、浴室の洗い場床として要求される耐久性を損なわないためには、床にやわらかさを与える機能を有するクッション層と、その上に設けられる耐久性の高い表面層とを積層させた構造にする必要がある。
【０００５】
しかし、通常、洗い場床表面に要求される耐久性を具備するには比較的強度が高く、硬質であり、そのような硬質材をクッション層の上に設けると、クッション層で得ようとしている床のやわらかさ感を享受しにくくなる。つまり、人が足で踏むなどして鉛直方向の荷重がかかった場合、硬質な表面層の張りが強く、床面全体で荷重を平均的に受け止めてしまい、踏んだところの近辺のみが沈み込むようなやわらかい感覚を得にくい。
【０００６】
本発明は上述の問題に鑑みてなされ、洗い場床としての表面耐久性を具備しつつ使用者にやわらかさを感じさせることのできる浴室用洗い場床を提供する。
【課題を解決するための手段】
【０００７】
本発明の一態様によれば、荷重を支えるための支持基材層と、前記支持基材層の上に積層され、弾性変形可能なクッション層と、前記クッション層の上に積層され、耐久性を有するとともに、強度を確保するための厚肉部と、可撓性を付与するための薄肉部とを有する表面層と、を備えた浴室用洗い場床であって、前記厚肉部は、前記表面層上に荷重が加わった際に、荷重が加わった部分が局所的に変形しない程度の厚みを有していることを特徴とする浴室用洗い場床が提供される。
また、本発明の他の一態様によれば、荷重を支えるための支持基材層と、前記支持基材層の上に積層され、弾性変形可能なクッション層と、前記クッション層の上に積層され、耐久性を有するとともに、強度を確保するための厚肉部と、可撓性を付与するための薄肉部とを有する表面層と、を備えた浴室用洗い場床であって、環境温度２０℃の条件で、前記厚肉部及び前記薄肉部を有する前記表面層に対して２０Ｎ／ｃｍ２の荷重を加えた際の鉛直下方への最大変位点の変位量をａ、前記表面層と同一材料であって前記薄肉部を有さずに前記厚肉部と同じ厚みの表面層に対して同じ２０Ｎ／ｃｍ２の荷重を加えた際の鉛直下方への最大変位点の変位量をｂとすると、ａ／ｂは、１．１以上であることを特徴とする浴室用洗い場床が提供される。
また、本発明の他の一態様によれば、荷重を支えるための支持基材層と、前記支持基材層の上に積層され、弾性変形可能なクッション層と、前記クッション層の上に積層され、耐久性を有するとともに、強度を確保するための厚肉部と、可撓性を付与するための薄肉部とを有する表面層と、を備えた浴室用洗い場床であって、前記表面層上に荷重が加わると、その荷重が加わった部分は前記薄肉部を鉛直下方への最大変位点として撓み、前記最大変位点の周辺の前記厚肉部は前記最大変位点に向かって下向き傾斜することを特徴とする浴室用洗い場床が提供される。
また、本発明の他の一態様によれば、荷重を支えるための支持基材層と、前記支持基材層の上に積層され、弾性変形可能なクッション層と、前記クッション層の上に積層され、耐久性を有するとともに、強度を確保するための厚肉部と、可撓性を付与するための薄肉部とを有する表面層と、を備えた浴室用洗い場床であって、前記表面層は、ＦＲＰ材料から形成されていることを特徴とする浴室用洗い場床が提供される。
【発明の効果】
【０００８】
本発明によれば、洗い場床としての表面耐久性を具備しつつ使用者にやわらかさを感じさせることのできる浴室用洗い場床が提供される。
【発明を実施するための最良の形態】
【０００９】
浴室の洗い場床に柔らかさを付与するために、弾性変形可能なクッション性を有する材料で洗い場床を構成することが考えられるが、クッション性を有する例えば発泡体は耐水性、耐薬品性、耐衝撃性など、洗い場床として求められる基本性能に優れず、クッション性を有する材料だけで構成した洗い場床は商品として提供しにくい。また、クッション性を有する材料としては発泡体以外にもゴム材があるが、ゴム材はゴム臭がするため、そのような材料を気密性の高い浴室内に、洗い場床という比較的広い面積にわたって用いるのは好ましくない。
【００１０】
したがって、発泡体を洗い場床におけるクッション層として設けた場合、浴室内側に露出する表面には、耐水性、耐薬品性、耐摩耗性、耐衝撃性など、ユニットバスとして要求される基本性能（耐久性）を満足する材料の表面層が別途必要になる。
【００１１】
前述したような特性を満足するクッション層や表面層は荷重を支えるのに十分な強度を確保しにくく、これらの層とは別に、荷重を支えるための強度がクッション層や表面層よりも大きな基材層が必要となる。すなわち、洗い場床に柔らかさを付与しつつ、洗い場床として求められる最低限の基本性能を確保するためには少なくとも基材層、クッション層、表面層を組み合わせた構造にすることが望ましい。
【００１２】
図１は、本発明の実施形態に係る浴室用洗い場床の模式断面図である。  
図２は、図１における要部の拡大断面図である。  
図３は、同洗い場床における表面層の表面の拡大斜視図である。
【００１３】
本実施形態に係る洗い場床は、硬質の支持基材層１と、支持基材層１の上に積層されたクッション性を有するクッション層４と、クッション層４の上に積層された表面層５とを備える。
【００１４】
支持基材層（以下、単に基材層とする）１は、浴室外に湯水を漏出させない防水性、および壁パネル５０、天井パネル、風呂椅子、洗面器などの静荷重、使用者の動荷重を受けても撓んだり破損しない十分な強度を有する硬質材料から形成されている。例えば、ＦＲＰ（Fiber Reinforced Plastic）等の熱硬化性樹脂、あるいはポリプロピレン、ポリエチレン等の熱可塑性樹脂に補強を施したものから形成されている。
【００１５】
基材層１には縦断面視で凹状に形成される凹部２が設けられている。凹部２は基材層１の上面視における大部分の面積を占め、凹部２より外方側には凹部２の上面（底面）よりも一段高くされた縁部６が設けられている。縁部６よりも外方側であって基材層１の最外縁部には、上方に立ち上がった水返し壁として機能する側壁部８が設けられている。
【００１６】
基材層１は硬質材（例えばＦＲＰ）を熱間成型することにより一体成形され、よって、凹部２、縁部６および側壁部８は一体に形成される。
【００１７】
クッション層４は、基材層１の凹部２に全体が収容され、凹部２の上面（底面）に例えば両面テープ等の接着剤により接着固定される。クッション層４は、弾性変形可能であり、例えばウレタン等の発泡体からなる。なお、クッション層４は弾性変形可能なゴム材であっても構わないが、ゴム臭のない発泡体の方が気密性の高い浴室の洗い場床として利用するには好ましい。
【００１８】
表面層５は、耐水性、耐薬品性、耐摩耗性、耐衝撃性など、洗い場床表面に要求される基本性能（耐久性）を満足するべく比較的硬質で強靱な材料から形成されている。そのような表面層５の材料としては、ＦＲＰ、ＰＶＣ（塩化ビニル）、ポリプロピレン、ポリエチレン、ウレタン樹脂、ポリエステル樹脂、スチレン・ポリエステル・オレフィン・アクリル系の各種エラストマー、ＥＶＡ、ＥＰＤＭ、シリコンゴムなどのゴム（硬質）系、あるいはこれらを十分な耐久性が期待できる程度の硬さに調整したもの、あるいはこれらをベースに充填材や強化材を加えた複合材料などが一例として挙げられる。これら材料は一例であって、その他、表面層５の材料としては、ある程度の可撓性を有する材料で、且つ浴室の一般的な使用に際し十分な耐久性を有するべく強靱な材料であればよく、前述したものに限られない。なお、特に、洗い場床材に要求される基本性能発揮に実績のあるＦＲＰを表面層５に用いることで信頼性の高い製品を提供することができる。
【００１９】
図２、３に示すように、表面層５は、洗い場床の表面強度を確保するための厚肉部５ａと、クッション層４の変形に追従可能な可撓性を表面層５に付与するための薄肉部５ｂとを有する。表面層５における浴室内に露出される表面側から切り込まれた溝１２を形成することによって、厚肉部５ａと薄肉部５ｂとが形成される。溝１２は、下層のクッション層４には達しておらず、溝１２は表面層５を完全に分断してはいない。
【００２０】
薄肉部５ｂは溝１２の下に位置し、薄肉部５ｂの厚みは、厚肉部５ａの厚みよりも薄い。溝１２及びその下に位置する薄肉部５ｂは、表面層５の全体に渡って格子状に形成され、厚肉部５ａは、溝１２及び薄肉部５ｂで囲まれた島状に形成されている。
【００２１】
溝１２を凹状断面視で見た場合における薄肉部５ｂの幅は、同じ断面視における厚肉部５ａの幅よりも小さい。表面層５全体における、厚肉部５ａの平面面積は薄肉部５ｂの平面面積よりも大きい。
【００２２】
再び図１を参照すると、表面層５は、クッション層４の上面及び凹部２を覆うようにクッション層４に積層される。表面層５の平面サイズは、クッション層４の平面サイズより大きく（縦横ともに長く形成されている）、表面層５においてクッション層４からはみ出る周縁部は、クッション層４を介さずに基材層１の縁部６の上面に積層される。表面層５において上記溝１２が形成された面の反対側の裏面は、例えば両面テープ等の接着材で、クッション層４の上面及び基材層１の縁部６の上面に接着固定される。
【００２３】
表面層５はクッション層４より薄い。表面層５の平面サイズは、基材層１全体の平面サイズより小さく（縦横ともに短く形成されている）且つ凹部２の平面サイズより大きい（縦横ともに長く形成されている）。
【００２４】
基材層１、クッション層４および表面層５の積層構造を得るにあたっては、それらを一体に熱間成型することにより相互に溶着固定させてもよいし（インサート及びラミネート成形）、基材層１の成型加工後に、その凹部２の上面（底面）に対してクッション層４を例えば両面テープ等の接着剤を用いて貼り付け、さらにそのクッション層４の表面に例えば両面テープ等の接着剤を用いて表面層５を貼り付けてもよい。
【００２５】
基材層１の凹部２より外方側に配置される表面層５の周縁部は、例えばシリコンや目地部材等のシーリング材１１で水密的にシールされ、表面層５と基材層１との間への水の浸入が防止されている。
【００２６】
表面層５の周縁部より外方側における基材層１の縁部６の上面には、浴室壁パネル５０が載置されている。シーリング材１１は、表面層５の周縁部と基材層１との間、および壁パネル５０と基材層１との間を兼用して水密的にシールする。
【００２７】
前述したようにクッション層４の表面側に表面層５を積層した構造においては、使用者は表面層５に触れることになるがその使用者にクッション層４の機能（柔らかさ）を感じさせるようにするため、表面層５にはクッション層４の変形に追従可能な可撓性が求められる。
【００２８】
また、表面層５には、洗い場床表面に要求される耐久性も必要であるが、通常、そのような耐久性を具備する材料は比較的硬質であり、クッション層４で得ようとしている床のやわらかさ感を享受しにくい。
【００２９】
図８の比較例に示すように、単に平面シート状の硬質材を表面層１５として用いただけでは、表面層１５の張りが強く、床面全体で荷重を平均的に受け止めてしまい、踏んだところの近辺のみが沈み込むようなやわらかい感覚を得にくい傾向にある。
【００３０】
一方、表面層にやわらかさを求めて、例えば特許文献１のようにやわらかなエラストマーを用いると、前述したように、摩耗、傷や穴があくなどの耐久性に劣る問題がある。さらに、図９に示すように、表面層２５にエラストマーやゴム等のやわらかい材料を用いると、例えば風呂椅子やシャンプーラックの脚等の局所荷重（ピンスポット荷重）がかかった際の変形が過大となり、局所的なつぶれやへたりが発生する問題も懸念される。
【００３１】
これに対して本実施形態では、耐久性を具備すべく硬質の表面層５としても、その表面層５の厚みが面方向に均一ではなく、厚肉部５ａと薄肉部５ｂとを有する構造としたため、クッション層４の変形に追従させて表面層５をしなやかに撓ませることができクッション層４のやわらかさを使用者に伝達することが可能となる。
【００３２】
図４は、人の足で踏まれるなどして本実施形態に係る洗い場床に荷重が加わり、クッション層４及び表面層５が撓んだ状態を示す模式断面図である。  
図５は、図４における要部の拡大図である。  
図６は、同洗い場床に荷重が加わり、表面層５が撓んだ状態を示す模式斜視図である。
【００３３】
本実施形態では、表面層５に荷重が加わると、溝１２及びその下の薄肉部５ｂが節となって断面凹状に撓む。すなわち、表面層５において荷重が加わった部分は薄肉部５ｂを鉛直下方への最大変位点として撓み（沈み込み）、その最大変位点の周辺の厚肉部５ａは最大変位点に向かって下向き傾斜する。この結果、硬質の表面層５であっても、表面層５がつっぱって撓みを抑制するようなことがなく、踏んだところを中心にしなやかに撓み、その近辺のみが沈み込むようなやわらかい感覚を得ることができる。
【００３４】
表面層５にしなやかな可撓性を付与する役割を担う薄肉部５ｂは、表面層５の表面全体に渡って格子状に形成されているため、すなわち表面層５の表面上縦横に変形の節となる薄肉部５ｂが偏在することなく分散配置され、床面上のどの部分に荷重がかかっても、変形の方向に指向性が生ずることなく、踏んだところを面上全方位的に違和感なくくぼませることができる。
【００３５】
以上説明したように本実施形態によれば、浴室の洗い場床に求められる耐久性、堅牢性、耐水性、耐薬品性などのさまざまな性能を十分具備しつつ、踏んだり膝をついたりした際にはその部分がしなやかに撓み、使用者にやわらかい感触を与えることができる。
【００３６】
この結果、使用者がひざをついても痛くないやわらかな感触が得られる。また、床が足になじみ、濡れた足でも滑りにくくできる。さらに、例えば洗面器を床に落としても音が響かない。さらに、使用者が冷たさを感じにくい。
【００３７】
表面層５は、荷重がかかった部分を中心としたその周辺のみがしなやかに撓み、変位が全体におよびにくい。したがって、シーリング材１１によってシールされた表面層５の周縁部が引っ張られたり浮き上がったりするのを抑えてシール切れを防止することができる。
【００３８】
厚肉部５ａは、荷重が加わった部分が局所的に変形しない程度の厚みを有することでピンスポット荷重に対する強度を確保している。すなわち、風呂椅子やシャンプーラックなどの脚などによって加えられるピンスポット荷重に対しては、厚肉部５ａで荷重を受け持ち、厚肉部５ａはそのピンスポット荷重に対する十分な強度を有し局所的な変形をしないため、部分的なつぶれやへたりなどを発生させにくくできる。
【００３９】
例えば、クッション層４を発泡体、表面層５をＦＲＰで形成し、薄肉部５ｂの厚みを０．５ｍｍ〜２．０ｍｍ、薄肉部５ｂの幅を３ｍｍ以内、厚肉部５ａの厚みを３ｍｍ〜５ｍｍ、島状の１つの厚肉部５ａの１辺の長さを２０ｍｍ以下とした場合に、ピンスポット荷重に対する十分な強度を確保しつつ、踏んだところの周辺のみが効果的に沈み込みようなやわらかさ感を付与することができることが確認できた。
【００４０】
また、本発明者等の検討の結果、環境温度２０℃の条件で、厚肉部５ａ及び薄肉部５ｂを有する本実施形態に係る表面層５に対して２０Ｎ／ｃｍ２の荷重を加えた際の鉛直下方への最大変位点の変位量をａとし、この表面層５と同一材料であって薄肉部５ｂを有さずに厚肉部５ａと同じ厚みの表面層に対して同じ２０Ｎ／ｃｍ２の荷重を加えた際の鉛直下方への最大変位点の変位量をｂとすると、ａ／ｂが、１．１以上であれば、よりやわらかく改善された、と人が認知可能であり、感応評価面で見た場合に有効であるとの知見を得た。この結果は、溝１２（薄肉部５ｂ）の有無以外は同一条件の構成で、溝１２（薄肉部５ｂ）を形成したもの（本実施形態）の方がたわみ量が１０％以上大きいことを示している。
【００４１】
ここで、２０Ｎ／ｃｍ２という荷重は、人のかかと、あるいはつま先の面積を３０ｃｍ２程度とし、６０ｋｇの体重の人が片足立ちした場合の単位面積あたりの荷重を想定したものであり、実使用時に人が床のやわらかさを感じようとする場面での荷重を想定している。
【００４２】
また、本実施形態では、薄肉部５ｂ（溝１２）の幅が厚肉部５ａの幅（１辺の長さ）よりも小さいため、表面層５の表面において、厚肉部５ａの方が薄肉部５ｂよりも面積が大きく、荷重が加わった際に優先的に変形させるための切り込み部分（薄肉部５ｂ）には使用者の荷重や外部からの衝撃が直接作用しにくく、表面層５自身の面強度を大きくできる。また、薄肉部５ｂの表面よりも厚肉部５ａ表面が上方に配置されるため、使用者の荷重や外部からの衝撃が直接、薄肉部５ｂに作用しにくく、表面層５自身の面強度を大きくできる。
【００４３】
前述した実施形態では、表面層５における浴室内に露見する表面側から溝１２を切り込むことで薄肉部５ｂを形成したが、よりしなやかな変形をたやすくさせるために、図７に示すように、裏面側からも切り込まれた溝１３を形成することで薄肉部５ｃを形成してもよい。
【００４４】
あるいは、薄肉部５ｂを設けずに、表面側の薄肉部５ｃのみの構造としてもよい。ただし、表面層５の面強度を高める観点からは、薄肉部５ｃが表面側に存在するよりは、溝１２を表面側から切り込むことで薄肉部５ｂが表面層５の裏面側に位置する構造が好ましい。
【００４５】
また、本実施形態では、図３に示すように、使用者に触れることになる厚肉部５ａの表面に例えば波形の凹凸が形成されており、滑り止めが図られている。なお、図４〜６を参照して前述したように、最大変位点周辺の厚肉部５ａが最大変位点に向かって下向き傾斜するので、足裏の一部が沈み込みように床面と接触し、このことも滑りにくくする。
【図面の簡単な説明】
【００４６】
【図１】本発明の実施形態に係る浴室用洗い場床の模式断面図。
【図２】図１における要部の拡大断面図。
【図３】同洗い場床における表面層の表面の拡大斜視図
【図４】同洗い場床に荷重が加わり、クッション層及び表面層が撓んだ状態を示す模式断面図。
【図５】図４における要部の拡大図。
【図６】同洗い場床に荷重が加わり、表面層が撓んだ状態を示す模式斜視図。
【図７】本発明の他の実施形態に係る浴室用洗い場床の要部拡大模式断面図。
【図８】第１の比較例に係る浴室用洗い場床の要部拡大模式断面図。
【図９】第２の比較例に係る浴室用洗い場床の要部拡大模式断面図。
【符号の説明】
【００４７】
１…基材層、４…クッション層、５…表面層、５ａ…厚肉部、５ｂ…薄肉部、５ｃ…薄肉部
【要約】
【課題】洗い場床としての表面耐久性を具備しつつ使用者にやわらかさを感じさせることのできる浴室用洗い場床を提供する。
【解決手段】本発明の浴室用洗い場床は、荷重を支えるための支持基材層と、支持基材層の上に積層され弾性変形可能なクッション層と、クッション層の上に積層され耐久性を有する表面層とを備え、表面層は、強度を確保するための厚肉部と、可撓性を付与するための薄肉部とを有する。
【選択図】図２【図１】
0004174741.tif 000002
【図２】
0004174741.tif 000003
【図３】
0004174741.tif 000004
【図４】
0004174741.tif 000005
【図５】
0004174741.tif 000006
【図６】
0004174741.tif 000007
【図７】
0004174741.tif 000008
【図８】
0004174741.tif 000009
【図９】
0004174741.tif 000010